(57)【要約】【課題】携帯電話機の複数のキーが同時に押下された場合に、操作者の意図しているキーの判定を効率的に行う手段を提供する。【解決手段】キー集合部１１は、キー操作部１０で同時に複数のキーが押下されたとき押下された全てのキーを検出キー情報として出力する。キー判定部１２は、キー集合部１１からの検出キー情報を元に、検出キー情報と同じキー入力パターンにおける決定キー頻度情報を判定記憶部１４から読み出し、最も頻度の高いキーを判定キーとして装置制御部１３へ出力する。装置制御部１３は、キー判定部１２で判定された１つの押下キーを表示部１５に表示するとともに、キー判定部１２による押下キー判定に対する操作者の修正操作の有無に基づいて、判定記憶部１４に対する前記同時キー押下パターンに対応する決定キーの頻度情報の記憶又は更新を制御する。【選択図】        図１
2004355289.tif 000002
【特許請求の範囲】
【請求項１】
複数の小型キーが近接して配置されたキー操作部および表示部を有する携帯電話機において、
２つ以上のキーが同時に押されたときに確定されたキーの頻度を過去に発生した同時キー押下パターンと対応させて記憶する判定記憶部と、
２つ以上のキーが同時に押されたときに、押下された全てのキーの出力を同時キー押下パターンとして出力するキー集合部と、
前記判定記憶部に記憶されている前記同時キー押下パターンに対する確定キーの頻度を参照して、前記キー集合部から出力された同時キー押下パターンに対して１つの押下キーを判定するキー判定部と、
前記キー判定部で判定された１つの押下キーを前記表示部に表示するとともに、前記キー判定部による押下キー判定に対する操作者の修正操作の有無に基づいて、前記判定記憶部における前記同時キー押下パターンに対する確定キーの頻度情報の記憶又は更新を制御する装置制御部と、
を備えていることを特徴とする携帯電話機。
【請求項２】
前記装置制御部は、前記同時キー押下パターンに対する前記キー判定部による判定結果を前記表示部に表示するとき、該当キーの表示内容を、複数のキーの同時押下に対する判定に基づく表示であることを操作者に識別可能に表示する機能を備えていることを特徴とする請求項１に記載の携帯電話機。
【請求項３】
前記識別可能な表示は、点滅表示、あるいは反転表示であることを特徴とする請求項２に記載の携帯電話機。
【請求項４】
前記装置制御部は、前記同時キー押下パターンに対する前記キー判定部による判定結果を前記表示部に表示しているときにクリヤキー以外のキーが続けて押下されたことを検出して前記判定結果を確定する機能と、前記判定記憶部の記憶内容を該確定したキー情報により更新する機能とを有していることを特徴とする請求項１〜３のいずれかに記載の携帯電話機。
【発明の詳細な説明】
【０００１】
【発明の属する技術分野】
本発明は、キーボタンを有する携帯電話機に関し、特に携帯電話機における押下キーの判定方法に関する。
【０００２】
【従来の技術】
携帯電話においては小型・高機能化が進み非常に利用しやすくなってきている。しかしながら小型化に伴い多くのキーを限られたスペースに配置しなければならないためにキーが近接して配置される状況となっている。その為、キー操作時に近傍のキーを同時に押下することがしばしばある。
【０００３】
従来、同時に複数のキーが押下された場合はキー押下を無効にするかあるいは最も新しく打鍵されたキーからの入力を取り入れる方式等が一般的である。特許文献１では、これら２つの方式の何れかを使用目的に応じて切替え可能に構成することにより、打鍵ミスの軽減、入力効率の向上を図る技術が記載されている。
【０００４】
また、特許文献２では、予め設定された時間よりも短い時間で入力された２つの文字キーが隣接している場合、その前後に入力された文字配列パターンを参照することにより、いずれか一方を誤入力によるものと判定することによって、互いに異なる２つのキーを同時に押してしまうことによる誤入力時に正しい入力を自動的に判定してデータ入力効率の向上を図る技術が記載されている。
【０００５】
また、特許文献３では、タッチパネルのキー入力を判別するとともに、その直後の修正キー入力によりユーザが実際にはどのキーを押そうとしたのかを判別し、判別結果を学習データ用レジスタに保存しておき、その後のタッチパネルのキー入力受付範囲を、学習データ用レジスタを参照して調整する技術が記載されている。
【０００６】
【特許文献１】
特開昭５８−１０５３２９号公報
【特許文献２】
特開平７−１３６６６号公報
【特許文献３】
特開２０００−６６８１７号公報
【０００７】
【発明が解決しようとする課題】
特許文献１に記載の方法において、複数のキーが押下された場合にキー押下を無効にする処理を実行する場合には、再度キー入力をし直さなければならず、また最も新しく打鍵されたキーからの入力を取り入れる方式では、小型化によりキーが近接に配置された最近の携帯電話機の場合には、キーの近接状態、操作者の指の太さ、押下時の癖等により必ずしも最新の打鍵キーが正しい入力となるとは限らず、再三押下を繰り返さなければならない場合が生じ、キー入力の効率が悪くなるという問題がある。
【０００８】
また、特許文献２に記載の方法の場合、その前後に入力された文字配列パターンを参照することにより正しいキー入力を判定しているので、例えば電話番号のような数字を入力する場合のように、その前後の文字配列パターンに殆ど相関関係がない場合のキー入力の判定には適用できない。
【０００９】
また、特許文献３に記載の方法は、その入力受付範囲がパネル全体に連続的に分布しているタッチパネルにおいてそのキー入力受付範囲を変更するものであり、多くのキーが限られたスペースに予め固定されて配置されている携帯電話には適用できない。また、その隣接するキーを同時にタッチするような操作に対して、学習データ用レジスタを参照してそのキー入力受付範囲が変更されると却って操作が煩雑となる虞がある。
【００１０】
本発明は、上記問題点に鑑み、小型キーが近接して配置された携帯電話機において、複数のキーが同時に押下された場合に、操作者の意図しているキーの判定を効率的に行う手段を提供することにある。
【００１１】
【課題を解決するための手段】
本発明の携帯電話機は、複数の小型キーが近接して配置されたキー操作部および表示部を有する携帯電話機において、２つ以上のキーが同時に押されたときに確定されたキーの頻度を過去に発生した同時キー押下パターンと対応させて記憶する判定記憶部と、２つ以上のキーが同時に押されたときに、押下された全てのキーの出力を同時キー押下パターンとして出力するキー集合部と、前記判定記憶部に記憶されている前記同時キー押下パターンに対する確定キーの頻度を参照して、前記キー集合部から出力された同時キー押下パターンに対して１つの押下キーを判定するキー判定部と、前記キー判定部で判定された１つの押下キーを前記表示部に表示するとともに、前記キー判定部による押下キー判定に対する操作者の修正操作の有無に基づいて、前記判定記憶部における前記同時キー押下パターンに対する確定キーの頻度情報の記憶又は更新を制御する装置制御部とを備えていることを特徴とする。
【００１２】
本発明の学習型入力判定回路を有する携帯電話機は、小型キーが近接して配置されたキー操作部を有する携帯電話機において、装置形状、操作者の指の太さ、操作者の押下癖により目的とするキー以外を同時に押下することが多い場合、同時入力された複数のキー押下から目的とする可能性の最も高いキーを、過去に入力されたキー入力パターンから学習し判定して出力することにより、キー入力の効率を高めるものである。
【００１３】
【発明の実施の形態】
図１は、本発明の携帯電話機における、キー判定に関連する部分を抽出して示した概略ブロック構成図である。なお、携帯電話機には無線による通話を行うための各種機能等が含まれているが、それらの構成は本発明と直接関係するものではないので図では省略している。
【００１４】
キー操作部１０にはテンキー等からなる複数のキーボタンが配置されており、キー集合部１１は、押下されたキーを検出キー情報として出力する。その際、同時に複数のキーが押下されたときには、押下された全てのキーを検出キー情報として出力する。複数のキーが同時に押下されたか否かの判定は、例えば、最初に押下を検出したキーから所定の時間（例えば１００ｍｓｅｃ）内に押下が検出されたその他の全てのキーを同時押下キーと判定する方法等により行う。
【００１５】
キー判定部１２は、キー集合部１１からの検出キー情報を元に、検出キー情報が１つのキーである場合にはそのキーを押下キーと判定して装置制御部１３へ出力し、検出キー情報が２つ以上のキーである場合には、この２つ以上のキーからなる検出キー情報と同じキー入力パターンにおける確定キー頻度情報を判定記憶部１４から読み出し、最も頻度の高いキーを判定キーとして装置制御部１３へ出力する。その際、判定記憶部１４に同じキー入力パターンにおける確定キー頻度情報が未だ記録されていない場合には、それらのキーの中から適宜のキー、例えば最初に押下が検出されたキーを判定キーとして装置制御部１３へ出力する。
【００１６】
装置制御部１３は、キー判定部１２から入力された判定キー出力を表示部１５に表示するための制御を行うとともに、表示部１５に表示されたキー判定部１２の出力結果が操作者の意図したキーであった場合、その結果を判定記憶部１４へ記録する。表示部１５に表示されたキー判定部１２の出力結果が操作者の意図したキーでなかった場合、その結果を破棄して表示部１５の当該キー情報の表示を削除し、再度入力されたキー出力に基づいてキー情報の表示及び判定記憶部１４への記録制御を行う。
【００１７】
判定記憶部１４は、過去に発生した２つ以上のキーが同時に押された場合の同時キー押下パターンに対するキー判定において確定されたキーの頻度情報を、同時キー押下パターン種別毎にそれぞれ対応させて記憶する。
【００１８】
図２は、携帯電話機におけるキーボタンの配置の一例を示す図であり、図３〜図４は、本発明のキー判定動作を説明するための図である。以下、本発明の動作について、図１〜図４を参照して説明する。
【００１９】
携帯電話機のキーは狭い領域に近接して配置されているので、キー操作時に一つのキーを押下しても近接のキーを同時に押下することが多い。例えば第３図に示すように、キー１を押下した場合に近接のキー２を同時に押下する場合とキー４を同時に押下する場合等がある。キー１を押下した場合考えられる同時押下キーの組み合わせは第４図に示す通りとなる。
【００２０】
例えば、キー１を押下したときに、キー１とキー２を同時に押下してしまった場合、キー集合部１１よりキー１とキー２の２つのキー押下の信号がキー判定部１２に入力される。一方、判定記憶部１４には、同時に押下された場合の第４図に示すキーの組み合わせ（同時キー押下パターン）に従い、各同時キー押下パターンにおける過去の複数回の判定結果が記憶されている。
【００２１】
キー判定部１２は、判定記憶部１４からキー１とキー２の同時押下の場合における過去の複数の判定結果を読み出し、その記憶内容から、最も判定結果の多いキー判定を選択し装置制御部１３へ出力する。装置制御部１３は出力されたキー判定に従い、操作者の意図したとおりか確認するために表示部１５に表示させる。操作者がクリヤキー以外のキーを続けて押下した場合には意図したとおりのキー入力が行われたと判定し、判定記憶部１４の記憶内容をこの確定したキー情報により更新する。
【００２２】
意図していないキーが判定されて表示された場合には、操作者はクリヤキーを押下して再度キー押下を行う。クリやキーが押下された場合には、装置制御部１３は表示部１５に表示されている判定キーを消去し、再度押下されたキー情報により判定記憶部１３の記憶内容を更新する。
【００２３】
上記の例において、判定記憶部１４に記憶されているキー１とキー２の同時押下パターン「１，２」の過去の判定結果が、例えば「１」が７回、「２」が３回である場合、キー判定部１２は、「１」をキー判定結果として出力する。装置制御部１３は出力されたキー判定に従い、操作者の意図したとおりか確認するために表示部１５に「１」を表示させる。意図したとおりのキーであれば判定記憶部１４における同時押下パターン「１，２」の過去の判定結果の「１」を８回に更新する。
【００２４】
一方、意図していたキーが「２」である場合には、操作者はクリヤキーを押下して再度キー「２」を押下する。クリやキーが押下された場合には、装置制御部１３は表示部１５に表示されている判定キー「１」を消し、次に押下されたキー「２」を判定キーとしてキー判定部１２から受けたとき、判定記憶部１４における同時押下パターン「１，２」の過去の判定結果の「２」を４回に更新する。
【００２５】
なお、上記実施形態では、キー判定部１２で判定されたキーの内容をそのまま表示部１５に表示しているが、キー判定部１２の出力が複数の近接したキーの同時押下に対する判定結果である場合には、表示部１５に表示される該当キー情報を点滅表示あるいは反転表示させることにより、複数のキーが同時に押下されたことを操作者が識別できるように表示させてもよい。
【００２６】
この点滅表示あるいは反転表示は、操作者がクリヤキー以外のキーを続けて押下した場合には確定キーとなって通常の表示となる。このようにすれば、操作者にキーの同時押下がなされたことを認識させることができ、キー押下操作に対する注意を促すことができる。
【００２７】
【発明の効果】
本発明によれば、近接したキーを持つ携帯電話機において近接したキーの配置、操作者の指の太さ、入力時の癖に応じて複数の近接したキーの同時押下が検出された場合に、同時押下の複数のパターンから過去の判定結果を元に操作者の意図しているキーを選択して出力するので、再度の入力を行う回数を減らすことができ、キー入力の効率を高めることができる。
【図面の簡単な説明】
【図１】本発明の実施形態である携帯電話機のキー判定ブロックを示す図である。
【図２】携帯電話機におけるキーボタンの配置の一例を示す図である。
【図３】本発明の動作を説明するための図である。
【図４】本発明の動作を説明するための図である。
【符号の説明】
１０  キー操作部
１１  キー集合部
１２  キー判定部
１３  装置制御部
１４  判定記憶部
１５  表示部
【図１】
2004355289.tif 000003
【図２】
2004355289.tif 000004
【図３】
2004355289.tif 000005
【図４】
2004355289.tif 000006